(57)【特許請求の範囲】
【請求項１】
ＩＳＤＮ／ＰＯＴＳ電気通信システムのためのスプリッタであって、第１（Ｌｉｎｅ＋）のおよび第２（Ｌｉｎｅ−）の回線端子と第１（ＰＯＴＳ／ＩＳＤＮ＋）のおよび第２（ＰＯＴＳ／ＩＳＤＮ−）のＰＯＴＳ／ＩＳＤＮ端子とをもち、ＬＣフィルタセル（Ｌ２１ａ、Ｌ２１ｂ、Ｃ２１）と複数の楕円フィルタセル（Ｌ２２ａ、Ｌ２２ｂ、Ｃ２２、Ｃ２５、Ｃ２４；Ｌ２３ａ、Ｌ２３ｂ、Ｃ２３、Ｃ２７、Ｃ２６）のカスケード接続を備え、
前記ＬＣフィルタセルが、前記第１の回線端子（Ｌｉｎｅ＋）に接続された第１の端子をもちまた前記複数の楕円フィルタセルを介して前記第１のＰＯＴＳ／ＩＳＤＮ端子（ＰＯＴＳ／ＩＳＤＮ＋）に結合された第２の端子をもつ第１の巻き線（Ｌ２１ａ）をもつ第１の対称コイル（Ｌ２１ａ、Ｌ２１ｂ）を備え、前記第２の回線端子（Ｌｉｎｅ−）に接続された第１の端子をもちまた前記複数の楕円フィルタセルを介して前記第２のＰＯＴＳ／ＩＳＤＮ端子（ＰＯＴＳ／ＩＳＤＮ−）に結合された第２の端子をもつ第２の巻き線（Ｌ２１ｂ）をもち、前記ＬＣフィルタセルがさらに、前記第１の対称コイルの第１の巻き線（Ｌ２１ａ）の第２の端子と、前記第１の対称コイルの第２の巻き線（Ｌ２１ｂ）の第２の端子との間に結合された第１コンデンサ（Ｃ２１）を備え、
前記複数の楕円フィルタセルがそれぞれ、前記ＬＣフィルタセルの第１の巻き線（Ｌ２１ａ）の第２の端子に結合された第１の端子をもちまた前記第１のＰＯＴＳ／ＩＳＤＮ端子（ＰＯＴＳ／ＩＳＤＮ＋）に結合された第２の端子をもつ第１の巻き線（Ｌ２２ａ；Ｌ２３ａ）をもち、前記ＬＣフィルタセルの第２の巻き線（Ｌ２１ｂ）の第２の端子に結合された第１の端子をもちまた前記第２のＰＯＴＳ／ＩＳＤＮ端子（ＰＯＴＳ／ＩＳＤＮ−）に結合された第２の端子をもつ第２の巻き線（Ｌ２２ｂ；Ｌ２３ｂ）をもつ、第２の対称コイル（Ｌ２２ａ、Ｌ２２ｂ；Ｌ２３ａ、Ｌ２３ｂ）を備え、各楕円フィルタセルがさらに、前記楕円フィルタセルの第２の対称コイルの第１の巻き線（Ｌ２２ａ；Ｌ２３ａ）の第２の端子と、前記第２の対称コイルの第２の巻き線（Ｌ２２ｂ；Ｌ２３ｂ）の第２の端子との間に結合された第２コンデンサ（Ｃ２２；Ｃ２３）を備え、第３コンデンサ（Ｃ２４；Ｃ２６）が前記第２の対称コイルの第１の巻き線（Ｌ２２ａ；Ｌ２３ａ）にまたがって接続され、第４コンデンサ（Ｃ２５；Ｃ２７）が前記第２の対称コイルの第２の巻き線（Ｌ２２ｂ；Ｌ２３ｂ）にまたがって接続されている、スプリッタにおいて、
抵抗（Ｒ２２；Ｒ２３）とコイル（Ｌ２５；Ｌ２６）の並列結合によって構成され、前記複数の楕円フィルタセルのうちの１つの楕円フィルタセルの第２コンデンサ（Ｃ２２；Ｃ２３）と直列に接続された少なくとも１つのＲＬ回路を備えることを特徴とする、スプリッタ。
【請求項２】
第２の抵抗（Ｒ２１）と第２のコイル（Ｌ２４）の並列結合によって構成され、前記ＬＣフィルタセルの前記第１の対称コイルの第１の巻き線（Ｌ２１ａ）の第２の端子と前記ＬＣフィルタセルの前記第１の対称コイルの第２の巻き線（Ｌ２１ｂ）の第２の端子の間に前記ＬＣフィルタセルの第１コンデンサ（Ｃ２１）と直列に接続された、別のＲＬ回路を備えることを特徴とする、請求項１に記載のスプリッタ。
【請求項３】
前記スプリッタが、前記ＬＣフィルタセル（Ｌ２１ａ、Ｌ２１ｂ、Ｃ２１）と、第１の第２コンデンサ（Ｃ２２）を備える第１の楕円フィルタセル（Ｌ２２ａ、Ｌ２２ｂ、Ｃ２２、Ｃ２５、Ｃ２４）と、第２の第２コンデンサ（Ｃ２３）を備える第２の楕円フィルタセル（Ｌ２３ａ、Ｌ２３ｂ、Ｃ２３、Ｃ２７、Ｃ２６）との直列接続を備えること、
前記第１の楕円フィルタセルの第１の第２コンデンサ（Ｃ２２）が、前記第１の楕円フィルタセルの第２の対称コイルの第１の巻き線（Ｌ２２ａ）の第２の端子と、前記第１の楕円フィルタセルの第２の対称コイルの第２の巻き線（Ｌ２２ｂ）の第２の端子との間に第１の抵抗（Ｒ２２）と第１のコイル（Ｌ２５）の並列結合によって構成された第１のＲＬ回路と直列に接続されること、ならびに
前記第２の楕円フィルタセルの第２の第２コンデンサ（Ｃ２３）が、前記第２の楕円フィルタセルの第２の対称コイルの第１の巻き線（Ｌ２３ａ）の第２の端子と、前記第２の楕円フィルタセルの第２の対称コイルの第２の巻き線（Ｌ２３ｂ）の第２の端子との間に第２の抵抗（Ｒ２３）と第２のコイル（Ｌ２６）の並列結合によって構成された第２のＲＬ回路と直列に接続されること
を特徴とする、請求項１または２のいずれかに記載のスプリッタ。
【請求項４】
前記楕円フィルタセル（Ｌ２２ａ、Ｌ２２ｂ、Ｃ２２、Ｃ２５、Ｃ２４；Ｌ２３ａ、Ｌ２３ｂ、Ｃ２３、Ｃ２７、Ｃ２６）の第２の対称コイルの第１の巻き線（Ｌ２２ａ；Ｌ２３ａ）にまたがった第３コンデンサ（Ｃ２４；Ｃ２６）と並列に接続された第１のダンピング抵抗と、前記第２の対称コイルの第２の巻き線（Ｌ２２ｂ；Ｌ２３ｂ）にまたがった第４コンデンサ（Ｃ２５；Ｃ２７）と並列に接続された第２のダンピング抵抗とをさらに備えることを特徴とする、請求項１に記載のスプリッタ。
【請求項５】
前記楕円フィルタセル（Ｌ２２ａ、Ｌ２２ｂ、Ｃ２２、Ｃ２５、Ｃ２４；Ｌ２３ａ、Ｌ２３ｂ、Ｃ２３、Ｃ２７、Ｃ２６）の第２の対称コイルの第１の巻き線（Ｌ２２ａ；Ｌ２３ａ）にまたがった第３コンデンサ（Ｃ２４；Ｃ２６）と直列に接続された第３のダンピング抵抗と、前記第２の対称コイルの第２の巻き線（Ｌ２２ｂ；Ｌ２３ｂ）にまたがった第４コンデンサ（Ｃ２５；Ｃ２７）と直列に接続された第４のダンピング抵抗とをさらに備えることを特徴とする、請求項１に記載のスプリッタ。
【発明の詳細な説明】
【技術分野】
【０００１】
本発明はＩＳＤＮ／ＰＯＴＳ電気通信システムのためのスプリッタに関し、前記スプリッタは第１のおよび第２の回線端子と第１のおよび第２のＰＯＴＳ／ＩＳＤＮ端子をもち、ＬＣフィルタセルおよび複数の楕円フィルタセルのカスケード接続を備え、前記ＬＣフィルタセルは、前記第１の回線端子に接続された第１の端子をもち、また前記複数の楕円フィルタセルを介して前記第１のＰＯＴＳ／ＩＳＤＮ端子に結合された第２の端子をもつ第１の巻き線をもつ第１の対称コイルを備え、前記第２の回線端子に接続された第１の端子をもちまた前記複数の楕円フィルタセルを介して前記第２のＰＯＴＳ／ＩＳＤＮ端子に結合された第２の端子をもつ第２の巻き線をもち、前記ＬＣフィルタセルはさらに、前記第１の対称コイルの第１の巻き線の第２の端子と、前記第１の対称コイルの第２の巻き線の第２の端子との間に結合された第１コンデンサを備え、前記複数のうちのそれぞれの楕円フィルタセルは、前記ＬＣフィルタセルの第１の巻き線の第２の端子に結合された第１の端子をもちまた前記第１のＰＯＴＳ／ＩＳＤＮ端子に結合された第２の端子をもつ第１の巻き線をもち、そして前記ＬＣフィルタセルの第２の巻き線の第２の端子に結合された第１の端子をもちまた前記第２のＰＯＴＳ／ＩＳＤＮ端子に結合された第２の端子をもつ第２の巻き線をもつ、第２の対称コイルを備え、各楕円フィルタセルはさらに、前記楕円フィルタセルの第２の対称コイルの第１の巻き線の第２の端子と、前記第２の対称コイルの第２の巻き線の第２の端子との間に結合された第２コンデンサと、前記第２の対称コイルの第１の巻き線にまたがって接続された第３コンデンサと、前記第２の対称コイルの第２の巻き線にまたがって接続された第４コンデンサとを備える。
【背景技術】
【０００２】
今日のＩＳＤＮおよびｘＤＳＬのためのユニバーサルＩＳＤＮ／ＰＯＴＳスプリッタ回路は、当技術分野で一般に知られている。これらの知られているスプリッタは、図１に示すように、４つのコイルおよび関連高電圧コンデンサ（通常は１０個のコンデンサ）から成る、９次ローパスフィルタに基づく。
【０００３】
１ＤＳＬ回線当たりの大型コイルおよびコンデンサのこの量は、１ボード当たりのスプリッタ回路の数の集積を制限し（１スプリッタボード当たり７２ポートなど）、単一ボード上の多数のＤＳＬ回線終端およびスプリッタ回線の集積を妨げる。コイルおよびコンデンサの数が多いため、所要のスペースのみでなく知られている９次ＩＳＤＮスプリッタのコストもまた比較的高い。
【０００４】
さらに、知られているユニバーサルＩＳＤＮ／ＰＯＴＳスプリッタローパスフィルタは、標準準拠でなければならない（ＥＴＳＩ  ＴＳ  １０１  ９５２−１−４）。多くの場合、同じトポロジをもつが異なる成分値をもつ２つの異なるフィルタが、２つのＩＳＤＮ標準（２Ｂ１Ｑおよび４Ｂ３Ｔ）をカバーするために必要とされる。
【発明の概要】
【発明が解決しようとする課題】
【０００５】
本発明の目的は、前述の知られているタイプであるが、そのスプリッタ特性は２Ｂ１Ｑおよび４Ｂ３Ｔ  ＩＳＤＮ標準のＥＴＳＩ標準ＥＴＳＩ  ＴＳ  １０１  ９５２−１−４に準拠したままでそのサイズおよびコストが格段に低減されたスプリッタを提供することである。
【課題を解決するための手段】
【０００６】
本発明によれば、この目的は、前記スプリッタが、抵抗およびコイルの並列結合によって構成され、前記複数の楕円セルの楕円フィルタセルの第２コンデンサと直列に接続された少なくとも１つのＲＬ回路を備える、ということによって達成される。
【０００７】
この方法では、７次ＩＳＤＮまたはユニバーサルＩＳＤＮ／ＰＯＴＳスプリッタローパスフィルタが、知られている９次ローパスフィルタに置き換わるために提供される。９次スプリッタローパスフィルタと比較して１つの楕円セルをなくすことによって、そして別の楕円フィルタセルに関連付けられた少なくとも１つのＲＬ回路を追加することによって、２５％のサイズ縮小および有意なコスト削減が達成される。
【０００８】
この７次フィルタは、２Ｂ１Ｑおよび４Ｂ３Ｔの両方のＩＳＤＮ標準について完全ＥＴＳＩ標準準拠（ＥＴＳＩ  ＴＳ  １０１  ９５２−１−４）である。本スプリッタはさらに、９次スプリッタと比較して同程度の動的性能を示す（一時的リジェクション、ＤＳＬ信号への雑音影響、ＩＳＤＮ信号への雑音影響）。
【０００９】
本スプリッタでは、ＡＤＳＬインピーダンス（Ｚａｄｓｌ）をもつものともたないもの両方の、ｘＤＳＬ阻止帯域特性、ＩＳＤＮ通過帯域リターンロスおよび挿入特性、ならびに異なるインピーダンスおよび条件についてのＰＯＴＳ通過帯域リターンロスおよび挿入ロス特性が、知られているスプリッタのそれらと同様であることがさらに証明されることができる。
【００１０】
本発明の別の特徴的な実施形態は、第２の抵抗と第２のコイルの並列結合で構成され、前記ＬＣフィルタの前記第１の対称コイルの第１の巻き線の第２の端子と、前記ＬＣフィルタの前記第１の対称コイルの第２の巻き線の第２の端子との間に前記ＬＣフィルタセルの第１コンデンサと直列に接続された、別のＲＬ回路を前記スプリッタが備えることである。
【００１１】
楕円フィルタセルに関連付けられた１つまたは複数のＲＬ回路に加えてＬＣフィルタセル内にＲＬ回路を提供することによって、スプリッタの性能は高められる。
【００１２】
本発明の好ましい特徴的な一実施形態では、前記スプリッタは、前記ＬＣフィルタセルと、第１の第２コンデンサを備える第１の楕円フィルタセルと、第２の第２コンデンサを備える第２の楕円フィルタセルとの直列接続を備え、前記第１の楕円フィルタセルの第１の第２コンデンサが、前記第１の楕円フィルタセルの第２の対称コイルの第１の巻き線の第２の端子と、前記第１の楕円フィルタセルの第２の対称コイルの第２の巻き線の第２の端子との間に第１の抵抗と第１のコイルの並列結合で構成される第１のＲＬ回路と直列に接続され、前記第２の楕円フィルタセルの第２の第２コンデンサが、前記第２の楕円フィルタセルの第２の対称コイルの第１の巻き線の第２の端子と、前記第２の楕円フィルタセルの第２の対称コイルの第２の巻き線の第２の端子との間に第２の抵抗と第２のコイルの並列結合によって構成される第２のＲＬ回路と直列に接続される。
【００１３】
この配列は、サイズ、コストおよび標準準拠に関して最適なスプリッタを構成する。
【００１４】
ＩＳＤＮ／ＰＯＴＳ電気通信システムのための本スプリッタのさらに特徴的な実施形態が、添付の特許請求の範囲に記載されている。
【００１５】
特許請求の範囲で使用される用語「備える」は、その後に記載された手段に限られるものとして解釈されるべきではないことに留意されたい。したがって、表現「手段ＡおよびＢを備えるデバイス」の範囲は、構成要素ＡおよびＢのみから成るデバイスに限定されるべきではない。それは、本発明に関して、デバイスの関連する構成要素のみがＡおよびＢであることを意味する。
【００１６】
同様に、特許請求の範囲でも使用される用語「結合された」は、直接の接続のみに限られるものとして解釈されるべきではないことに留意されたい。したがって、表現「デバイスＢに結合されたデバイスＡ」の範囲は、デバイスＡの出力がデバイスＢの入力に直接接続されたデバイスまたはシステムに限定されるべきではない。それは、他のデバイスまたは手段を含む経路でもよい、Ａの出力とＢの入力の間の経路が存在することを意味する。
【００１７】
添付の図面と共に実施形態の以下の説明を参照することによって、本発明の前述のおよび他の目的および特徴がさらに明らかとなり、本発明自体が最もよく理解されることになろう。
【図面の簡単な説明】
【００１８】
【図１】先行技術から知られるＩＳＤＮ／ＰＯＴＳ電気通信システムのためのスプリッタを示す図である。
【図２】本発明によるスプリッタを示す図である。
【図３】図１のスプリッタの変形形態を示す図である。
【図４】ボード上の本発明のスプリッタによって占有されるスペースに関する、先行技術のスプリッタによって占有されるスペースとの比較を示す図である。
【発明を実施するための形態】
【００１９】
ＩＳＤＮ／ＰＯＴＳ電気通信システムのためのスプリッタ、特に先行技術から知られるその９次ローパスフィルタが図１に示されている。このスプリッタは、回線端子とＰＯＴＳ／ＩＳＤＮ端子の間に位置するフィルタステージをもつ。過電圧のための追加の同相コイルおよびプロテクタもまた提供されることができるが、図１には示されていない。
【００２０】
さらに詳しくは、知られているスプリッタは、第１の回線端子のＬｉｎｅ＋、第２の回線端子のＬｉｎｅ−、第１のＰＯＴＳ／ＩＳＤＮ端子のＰＯＴＳ／ＩＳＤＮ＋および第２のＰＯＴＳ／ＩＳＤＮ端子のＰＯＴＳ／ＩＳＤＮ−をもつ。これらの回線およびＰＯＴＳ／ＩＳＤＮ端子の間に、スプリッタはＬＣフィルタステージまたはセルＬ１１ａ、Ｌ１１ｂ、Ｃ１１と３つの楕円フィルタステージＬ１２ａ、Ｌ１２ｂ、Ｃ１２、Ｃ１５、Ｃ１６；Ｌ１３ａ、Ｌ１３ｂ、Ｃ１３、Ｃ１７、Ｃ１８；Ｌ１４ａ、Ｌ１４ｂ、Ｃ１４、Ｃ１９、Ｃ１Ａ、Ｒ１１、Ｒ１２のカスケード接続を備える。
【００２１】
ＬＣフィルタセルは、巻き線Ｌ１１ａおよびＬ１１ｂによって構成される第１の対称コイルＬ１１を備える。第１の巻き線Ｌ１１ａは、第１の回線端子Ｌｉｎｅ＋に接続された第１の端子および楕円フィルタステージを介して第１のＰＯＴＳ／ＩＳＤＮ端子ＰＯＴＳ／ＩＳＤＮ＋に結合された第２の端子をもち、一方で第２の巻き線Ｌ１１ｂは、第２の回線端子Ｌｉｎｅ−に接続された第１の端子および楕円フィルタステージを介して第２のＰＯＴＳ／ＩＳＤＮ端子ＰＯＴＳ／ＩＳＤＮ−に結合された第２の端子をもつ。ＬＣフィルタセルはさらに、第１の巻き線Ｌ１１ａの第２の端子と、その第２の巻き線Ｌ１１ｂの第２の端子との間に結合された第１コンデンサＣ１１を備える。
【００２２】
各楕円フィルタステージは、それぞれ巻き線Ｌ１２ａおよびＬ１２ｂ／Ｌ１３ａおよびＬ１３ｂ／Ｌ１４ａおよびＬ１４ｂによってそれぞれ構成される第２の対称コイルＬ１２／Ｌ１３／Ｌ１４をもつセルを備える。第１の巻き線Ｌ１２ａ／Ｌ１３ａ／Ｌ１４ａは、前述のＬＣフィルタセルの第１の巻き線Ｌ１１ａの第２の端子に結合された第１の端子および第１のＰＯＴＳ／ＩＳＤＮ端子ＰＯＴＳ／ＩＳＤＮ＋に結合された第２の端子をもち、一方で第２の巻き線Ｌ１２ｂ／Ｌ１３ｂ／Ｌ１４ｂは、ＬＣフィルタセルの第２の巻き線Ｌ１１ｂの第２の端子に結合された第１の端子と、第２のＰＯＴＳ／ＩＳＤＮ端子ＰＯＴＳ／ＩＳＤＮ−に結合された第２の端子とをもつ。
【００２３】
さらに詳しくは、第１の楕円フィルタステージの第１の巻き線Ｌ１２ａの第１の端子は、ＬＣフィルタセルの第１の巻き線Ｌ１１ａの第２の端子に接続され、第１の楕円フィルタステージの第２の巻き線Ｌ１２ｂの第１の端子は、ＬＣフィルタセルの第２の巻き線Ｌ１１ｂの第２の端子に接続される。
【００２４】
第２の楕円フィルタステージの第１の巻き線Ｌ１３ａの第１の端子は、第１の楕円フィルタステージの第１の巻き線Ｌ１２ａの第２の端子に接続され、第２の楕円フィルタステージの第２の巻き線Ｌ１３ｂの第１の端子は、第１の楕円フィルタステージの第２の巻き線Ｌ１２ｂの第２の端子に接続される。
【００２５】
第３の楕円フィルタステージの第１の巻き線Ｌ１４ａの第１の端子は、第２の楕円フィルタステージの第１の巻き線Ｌ１３ａの第２の端子に接続され、第３の楕円フィルタステージの第２の巻き線Ｌ１４ｂの第１の端子は、第２の楕円フィルタステージの第２の巻き線Ｌ１３ｂの第２の端子に接続される。
【００２６】
最後に、第３の楕円フィルタステージの第１の巻き線Ｌ１４ａの第２の端子が、第１のＰＯＴＳ／ＩＳＤＮ端子ＰＯＴＳ／ＩＳＤＮ＋に接続され、第３の楕円フィルタステージの第２の巻き線Ｌ１４ｂの第２の端子が、第２のＰＯＴＳ／ＩＳＤＮ端子ＰＯＴＳ／ＩＳＤＮ−に接続される。
【００２７】
それぞれ２つの巻き線（ａおよびｂ）をもつ、４つの対称コイルＬ１１からＬ１４は、標準的ＲＭ４またはＥＰ７サイズコイルである。
【００２８】
各楕円フィルタセルはさらに、第２の対称コイルの第１の巻き線Ｌ１２ａ／Ｌ１３ａ／Ｌ１４ａの第２の端子と、第２の対称コイルの第２の巻き線Ｌ１２ｂ／Ｌ１３ｂ／Ｌ１４ｂの第２の端子との間に結合された第２コンデンサＣ１２／Ｃ１３／Ｃ１４と、第２の対称コイルのそれぞれの第１の巻き線Ｌ１２ａ／Ｌ１３ａ／Ｌ１４ａにまたがって接続された第３コンデンサＣ１５／Ｃ１７／Ｃ１９と、第２の対称コイルの第２の巻き線Ｌ２ｂ／Ｌ３ｂ／Ｌ４ｂにまたがって接続された第４コンデンサＣ１６／Ｃ１８／Ｃ１Ａとを備える。
【００２９】
最後に、ある場合には、追加の抵抗が、ＬＣフィルタステージの追加的ダンピングのためにコンデンサのうちのいくつかと直列または並列に置かれる。たとえば、最後の楕円フィルタセルＬ１４、Ｃ１９、Ｃ１Ａは、第３コンデンサＣ１９にまたがって並列に接続された抵抗Ｒ１１と、第４コンデンサＣ１Ａにまたがって並列に接続された別の抵抗Ｒ１２とをもつことができる。
【００３０】
本発明の主旨は、図１に示される先行技術によって知られる９次ＩＳＤＮまたはユニバーサルＩＳＤＮ／ＰＯＴＳスプリッタローパスフィルタを図２または図３によって示される７次ローパスフィルタに置き換えることによってボード上のスプリッタによって占有されるエリアを減らすことである。
【００３１】
図２に示す本発明によるスプリッタでは、この置き換えが１つの楕円フィルタステージ、即ち１つの対称コイルＲＭ４もしくはＥＰ７タイプおよび３つの高電圧コンデンサをなくすことによって、また追加の直列共振回路として、３つの小さな低コストＳＭＤ（表面実装型デバイス）コイルおよび抵抗を追加することによって達成される。
【００３２】
注意深く７次フィルタを設計し、成分値を寸法決定することによって、以下が達成される：
−  １つの単一フィルタの実装による、２Ｂ１Ｑおよび４Ｂ３Ｔ  ＩＳＤＮ標準の両方についての７次フィルタの完全ＥＴＳＩ標準準拠（ＥＴＳＩ  ＴＳ  １０１  ９５２−１−４）と、
−  一時的リジェクション、ＤＳＬ信号への雑音影響、ＩＳＤＮ信号への雑音影響に関する、９次スプリッタと比較した同程度の動的性能と、
−  より小さいサイズ（最高２５％小さい）およびより低いコスト。
【００３３】
１つのＬＣフィルタステージ、２つの楕円フィルタステージ、および３つの直列共振回路から成る、７次ＩＳＤＮまたはユニバーサルＩＳＤＮ／ＰＯＴＳスプリッタローパスフィルタが図２に概略的に提示されている。
【００３４】
回線端子Ｌｉｎｅ＋およびＬｉｎｅ−と、ＰＯＴＳ／ＩＳＤＮ端子ＰＯＴＳ／ＩＳＤＮ＋およびＰＯＴＳ／ＩＳＤＮ−との間に、７次スプリッタは、ＬＣフィルタステージＬ２１ａ、Ｌ２１ｂ、Ｃ２１、Ｒ２１、Ｌ２４と、第１の楕円フィルタステージＬ２２ａ、Ｌ２２ｂ、Ｃ２４、Ｃ２５、Ｃ２２、Ｒ２２、Ｌ２５と、第２の楕円フィルタステージＬ２３ａ、Ｌ２３ｂ、Ｃ２６、Ｃ２７、Ｃ２３、Ｒ２３、Ｌ２６とのカスケード接続を備える。
【００３５】
さらに詳しくは、回線端子Ｌｉｎｅ＋は、ＬＣフィルタセルの第１の対称コイルＬ２１の第１の巻き線Ｌ２１ａと、第１の楕円フィルタセルの第２の対称コイルＬ２２の第１の巻き線Ｌ２２ａと、第２の楕円フィルタセルの第３の対称コイルＬ２３の第１の巻き線Ｌ２３ａとの直列接続を介してＰＯＴＳ／ＩＳＤＮ端子ＰＯＴＳ／ＩＳＤＮ＋に結合される。
【００３６】
他方で、回線端子Ｌｉｎｅ−は、ＬＣフィルタセルの第１の対称コイルＬ２１の第２の巻き線Ｌ２１ｂと、第１の楕円フィルタセルの第２の対称コイルＬ２２の第２の巻き線Ｌ２２ｂと、第２の楕円フィルタセルの第３の対称コイルＬ２３の第２の巻き線Ｌ２３ｂとの直列接続を介してＰＯＴＳ／ＩＳＤＮ端子ＰＯＴＳ／ＩＳＤＮ−に結合される。
【００３７】
ＬＣフィルタステージは、ＬＣフィルタセルに第１の直列共振回路を追加することによって完成される。この第１の共振回路は、第１の抵抗Ｒ２１および第１のコイルＬ２４の並列接続と直列接続された第１コンデンサＣ２１によって構成される。第１の共振回路は、第１の楕円フィルタセルの第２の対称コイルＬ２２の第１の巻き線Ｌ２２ａとのＬＣフィルタセルの第１の対称コイルＬ２１の第１の巻き線Ｌ２１ａの接合点と、第１の楕円フィルタセルの第２の対称コイルＬ２２の第２の巻き線Ｌ２２ｂとのＬＣフィルタセルの第１の対称コイルＬ２１の第２の巻き線Ｌ２１ｂの接合点との間に接続される。
【００３８】
第１の楕円フィルタステージは、第１の楕円フィルタセルに第２の直列共振回路を追加することによって完成される。この第２の共振回路は、第２の抵抗Ｒ２２および第２のコイルＬ２５の並列接続と直列接続された第２コンデンサＣ２２によって構成される。第２の共振回路は、第２の楕円フィルタセルの第３の対称コイルＬ２３の第１の巻き線Ｌ２３ａとの第１の楕円フィルタセルの第２の対称コイルＬ２２の第１の巻き線Ｌ２２ａの接合点と、第２の楕円フィルタセルの第３の対称コイルＬ２３の第２の巻き線Ｌ２３ｂとの第１の楕円フィルタセルの第２の対称コイルＬ２２の第２の巻き線Ｌ２２ｂの接合点との間に接続される。
【００３９】
第２の楕円フィルタステージは、第２の楕円フィルタセルに第３の直列共振回路を追加することによって完成される。この第３の共振回路は、第３の抵抗Ｒ２３および第３のコイルＬ２６の並列接続と直列接続された第３コンデンサＣ２３によって構成される。第３の共振回路は、ＰＯＴＳ／ＩＳＤＮ端子ＰＯＴＳ／ＩＳＤＮ＋との第２の楕円フィルタセルの第３の対称コイルＬ２３の第１の巻き線Ｌ２３ａの接合点と、ＰＯＴＳ／ＩＳＤＮ端子ＰＯＴＳ／ＩＳＤＮ−との第２の楕円フィルタセルの第３の対称コイルＬ２３の第２の巻き線Ｌ２３ｂの接合点との間に接続される。
【００４０】
第４コンデンサＣ２４は、第１の楕円フィルタセルの第２の対称コイルＬ２２の第１の巻き線Ｌ２２ａと並列に提供され、第５コンデンサＣ２５は、この第２の対称コイルＬ２２の第２の巻き線Ｌ２２ｂと並列に提供される。
【００４１】
同様に、第６コンデンサＣ２６は、第２の楕円フィルタセルの第３の対称コイルＬ２３の第１の巻き線Ｌ２３ａにまたがって並列に提供され、第７コンデンサＣ２７は、この第３の対称コイルＬ２３の第２の巻き線Ｌ２３ｂにまたがって並列に提供される。
【００４２】
ダンピング抵抗（表示せず）は、第４のＣ２４、第５のＣ２５、第６のＣ２６および／または第７のＣ２７のコンデンサと直列または並列に提供されることができる。
【００４３】
過電圧のための追加の同相コイルおよびプロテクタもまた提供されることができるが、図２には示されていない。
【００４４】
それぞれ第１（ａ）のおよび第２（ｂ）の巻き線をもつ、対称コイルＬ２１、Ｌ２２およびＬ２３は、通常はタイプＥＰ７またはＲＭ４であることに留意されたい。
【００４５】
コイルＬ２４、Ｌ２５およびＬ２６は、数μＨなどの低い値の小さな表面実装型ＳＭＤタイプコイルである。これらのコイルを通過する直流電流はないので、そのコイルのサイズおよびコストは比較的小さい。
【００４６】
抵抗Ｒ２１、Ｒ２２、Ｒ２３は、低オーム抵抗の表面実装型ＳＭＤタイプの抵抗であり、直流電流はこれらの抵抗を流れていないので、そのサイズは小さい。
【００４７】
この７次ＩＳＤＮ／ユニバーサルスプリッタのローパスフィルタの構造は、前述の知られている９次フィルタのそれと同様の特性をもたらす。
【００４８】
７次ＩＳＤＮまたはユニバーサルＩＳＤＮ／ＰＯＴＳスプリッタローパスフィルタの最適化された変形形態が図３に示されている。このスプリッタは、１つのＬＣフィルタステージ、２つの楕円フィルタステージ、および２つの直列共振回路で構成される。
【００４９】
７次ＩＳＤＮまたはＩＳＤＮ／ＰＯＴＳユニバーサルスプリッタのこのさらに最適化された実施形態では、２つのみの直列共振回路Ｃ３１、Ｒ３１、Ｌ３４およびＣ３２、Ｒ３２、Ｌ３５が使用される。換言すれば、図２に示す実施形態に関して、第２の楕円フィルタセルは、第３の抵抗Ｒ２３と第３のコイルＬ２６の並列接続と直列に接続された第３コンデンサＣ２３を備える第３の直列共振回路とはもはや関連付けられず、図３に示す第３コンデンサＣ３３のみと関連付けられる。したがって、この第３コンデンサＣ３３は、ＰＯＴＳ／ＩＳＤＮ端子ＰＯＴＳ／ＩＳＤＮ＋との第２の楕円フィルタセルの第３の対称コイルＬ３３の第１の巻き線Ｌ３３ａの接合点と、ＰＯＴＳ／ＩＳＤＮ端子ＰＯＴＳ／ＩＳＤＮ−との第２の楕円フィルタセルの第３の対称コイルＬ３３の第２の巻き線Ｌ３３ｂの接合点との間に直接接続される。
【００５０】
図３に示すこのフィルタでも、成分値を正確に寸法決定することによって、ＥＴＳＩ標準ＥＴＳＩ  ＴＳ  １０１  ９５２−１−４への完全な準拠が保証され、知られている９次スプリッタと同程度の動的性能（一時的リジェクション、ｘＤＳＬ信号へのＩＳＤＮの雑音影響、ＩＳＤＮ信号へのｘＤＳＬの雑音影響）が達成される。
【００５１】
図２に示す実施形態と比較して、図３に示すこのより最適化された実施形態はさらに少ないスペースを必要とし、より優れたコスト優位性をもつ。
【００５２】
図４は、７次スプリッタ（右：３３ｍｍ×１７ｍｍ＝５．６１ｃｍ２）と９次スプリッタ（左：４２ｍｍ×１７ｍｍ＝７．１４ｃｍ２）のサイズの比較を示し、７次スプリッタでの２５％を上回るサイズの縮小を示す。上面の構成要素のみが図４に示され、底部側にあるＳＭＤ構成要素は示されず、Ｌはコイルを表し、Ｃはコンデンサを表す。
【００５３】
たとえば楕円キャップのための直列抵抗、直列共振回路の他の配置などをもつ、７次ＩＳＤＮまたはＩＳＤＮ／ＰＯＴＳ／ユニバーサルスプリッタローパスフィルタの他の実装が、図２および図３に示す基本的構造から導き出され得ることに留意されたい。
【００５４】
７次ＩＳＤＮ／ＰＯＴＳユニバーサルスプリッタローパスフィルタの導き出される実装は、たとえば：
−  １つ、２つまたは３つの直列共振回路をもつ実装、
−  たとえば直列共振回路が１つの場合にはＣ３１、Ｃ３２またはＣ３３に加えた、直列共振回路が２つの場合にはＣ３１およびＣ３２（図３に示す）、Ｃ３１およびＣ３３、またはＣ３２およびＣ３３に加えた、１つまたは２つの直列共振回路の異なる配置、ならびに
−  図２に関して前述された第４のＣ２４、第５のＣ２５、第６のＣ２６および／または第７のＣ２７のコンデンサ上の直列または並列のダンピング抵抗の使用である。
【００５５】
最後の注釈は、本発明の実施形態が、機能ブロックに関して前述されているということである。前述されたこれらのブロックの機能的な説明から、電子デバイスを設計する当業者には、これらのブロックの実施形態がよく知られている電子構成要素でどのように製造されることができるかが明らかとなろう。したがって、機能ブロックの内容の詳細な構造は与えられていない。
【００５６】
本発明の原理は特定の装置に関連して前述されているが、本記述は単に例として行われ、添付の特許請求の範囲で定義されるような、本発明の範囲を制限するものとしてではないことを明確に理解されたい。
【図１】
0005535221.tif 000002
【図２】
0005535221.tif 000003
【図３】
0005535221.tif 000004
【図４】
0005535221.tif 000005